(57)【要約】  【課題】軒天と箱樋との間のスペースを広くとる必要がない、外観に優れ設計上の自由度の大きな雨水排水装置を提供する。  【解決手段】建物の軒天４の上方に配置された箱樋１０の雨水を縦樋を介して屋外に排出するための雨水排水装置であり、箱樋１０の一方の側板部１０ｂに排出口２８を設ける。この箱樋１０の側部に穿設した排出口２８にドレン２０を結合する。箱樋１０内の雨水は箱樋１０の側部から取り出され、ドレン２０に結合するパイプ３０を通して縦樋に排出される。【選択図】  図１
2007138628.tif 000002
【特許請求の範囲】
【請求項１】
建物の軒天４の上方に配置された箱樋１０の雨水を縦樋を介して屋外に排出するための雨水排水装置であって、前記箱樋１０の棟側の側板部１０ｂに排出口２８を設け、該排出口２８にドレン２０を結合し、前記箱樋１０内の雨水を箱樋１０の側部から取り出し、前記ドレン２０に結合するパイプ３０を通して縦樋に排出するようにしたことを特徴とする雨水排水装置。
【請求項２】
前記排出口２８が四角形であり、前記ドレン２０が前記排出口２８に対応する四角形の開口部２２ａ’，２４ａ’を備え、該開口部２２ａ’，２４ａ’を通して前記箱樋１０内の雨水が前記パイプ３０に排出されるようにしたことを特徴とする請求項１に記載の雨水排水装置。
【請求項３】
前記ドレン２０は、前記箱樋１０の外側面に配置される本体２２と、前記箱樋１０の内側面に配置されるキャップ２４と、前記本体２２とキャップ２４とを結合する押さえナット２６とから成り、前記本体２２を、前記箱樋１０の四角形の排出口２８と略同一形状の中空部を有する本体角筒部２２ａと、前記箱樋１０の外側面の前記排出口２８の周囲に当接可能な部分と前記箱樋１０の底板部１０ａの下面に当接可能な下位水平部２２ｂ’とを有し前記本体角筒部２２ａの一方の開口端に一体的に形成された本体枠部２２ｂと、前記本体角筒部２２ａの前方に位置して該角筒部２２ａに連結部２２ｅを介して支持され外周部に雄ねじ２２ｃを有する管状部２２ｄとで構成し、前記キャップ２４を、前記箱樋１０の内側面の前記排出口の周囲に当接可能な部分と前記箱樋１０の底板部１０ａの上面に当接可能な下位水平部２４ｂ’とが一体的に形成されたキャップ枠部２４ｂと、前記キャップ枠部２４ｂに連結部２４ｄを介して支持されたリング部２４ｃとで構成し、前記箱樋１０の外側面と底部下面に前記本体枠部２２ｂを当接配置し、前記リング部２４ｃを前記管状部２２ｄに挿入し、前記箱樋１０の側板部１０ｂを介して前記キャップ枠部２４ｂを前記本体枠部２２ｂに当接し、前記押さえナット２６を前記管状部２２ｄの雄ねじ２２ｃにねじ込んで前記本体２２とキャップ２４とを前記箱樋１０の側板部１０ｂに固定したことを特徴とする請求項１又は請求項２に記載の雨水排水装置。
【請求項４】
前記キャップ２４に、前記本体角筒部２２ａに嵌合自在な四角形の形状を有する角筒部２４ａを設けたことを特徴とする請求項３に記載の雨水排水装置。
【請求項５】
前記本体枠部２２ｂと前記キャップ枠部２４ｂの前記箱樋１０の壁面との接触面にシーリング材を塗着したことを特徴とする請求項３又は請求項４に記載の雨水排水装置。
【発明の詳細な説明】
【技術分野】
【０００１】
本発明は建物の軒天の上方に配置された箱樋の雨水を縦樋を介して屋外に排水するための雨水排水装置に関する。
【背景技術】
【０００２】
従来、箱樋内に集水した雨水を箱樋の底部に設けたドレンを通じて、箱樋の真下に導き、縦樋を介して屋外に排出するようにした雨水排水装置が知られている（例えば特許文献１参照）。
【特許文献１】特開平５−２７２２０２号公報
【発明の開示】
【発明が解決しようとする課題】
【０００３】
雨水を集水する箱樋２は、図３に示すように、建物の軒天４の上方に配置され、箱樋２に集水された雨水は、箱樋２の底部壁に穿設された開口部に連結する連結パイプ６を介して、箱樋２の真下に導かれ、連結パイプ６に連結する縦樋８を通って屋外に排出される。このように、箱樋２の真下から雨水を取り出す構成とすると、連結パイプ６を箱樋の下側に配置しなければならず、その分、箱樋２の底面と軒天４との間隔Ｓを大きくとらざるを得ない。これは建物の設計の自由度を妨げることになるとともに、箱樋２と軒天４との間のスペースが広いと、建物の軒先の形状にシャープさが失われてしまい、外観が悪くなってしまう。
本発明は上記問題点を解決することを目的とするものである。
【課題を解決するための手段】
【０００４】
上記目的を達成するため本発明は、建物の軒天４の上方に配置された箱樋１０の雨水を縦樋を介して屋外に排出するための雨水排水装置であって、前記箱樋１０の棟側の側板部１０ｂに排出口２８を設け、該排出口２８にドレン２０を結合し、前記箱樋１０内の雨水を箱樋１０の側部から取り出し、前記ドレン２０に結合するパイプ３０を通して縦樋に排出するようにしたものである。
また本発明は、前記排出口２８が四角形であり、前記ドレン２０が前記排出口２８に対応する四角形の開口部２２ａ’，２４ａ’を備え、該開口部２２ａ’，２４ａ’を通して前記箱樋１０内の雨水が前記パイプ３０に排出されるようにしたものである。
また本発明は、前記ドレン２０は、前記箱樋１０の外側面に配置される本体２２と、前記箱樋１０の内側面に配置されるキャップ２４と、前記本体２２とキャップ２４とを結合する押さえナット２６とから成り、前記本体２２を、前記箱樋１０の四角形の排出口２８と略同一形状の中空部を有する本体角筒部２２ａと、前記箱樋１０の外側面の前記排出口２８の周囲に当接可能な部分と前記箱樋１０の底板部１０ａの下面に当接可能な下位水平部２２ｂ’とを有し前記本体角筒部２２ａの一方の開口端に一体的に形成された本体枠部２２ｂと、前記本体角筒部２２ａの前方に位置して該角筒部２２ａに連結部２２ｅを介して支持され外周部に雄ねじ２２ｃを有する管状部２２ｄとで構成し、前記キャップ２４を、前記箱樋１０の内側面の前記排出口の周囲に当接可能な部分と前記箱樋１０の底板部１０ａの上面に当接可能な下位水平部２４ｂ’とが一体的に形成されたキャップ枠部２４ｂと、前記キャップ枠部２４ｂに連結部２４ｄを介して支持されたリング部２４ｃとで構成し、前記箱樋１０の外側面と底部下面に前記本体枠部２２ｂを当接配置し、前記リング部２４ｃを前記管状部２２ｄに挿入し、前記箱樋１０の側板部１０ｂを介して前記キャップ枠部２４ｂを前記本体枠部２２ｂに当接し、前記押さえナット２６を前記管状部２２ｄの雄ねじ２２ｃにねじ込んで前記本体２２とキャップ２４とを前記箱樋１０の側板部１０ｂに固定したものである。
また本発明は、前記キャップ２４に、前記本体角筒部２２ａに嵌合自在な四角形の形状を有する角筒部２４ａを設けたものである。
また本発明は、前記本体枠部２２ｂと前記キャップ枠部２４ｂの前記箱樋１０の壁面との接触面にシーリング材を塗着したものである。
【発明の効果】
【０００５】
本発明は、箱樋内の雨水を箱樋の真横から取り出すので、軒天と箱樋との間のスペースを狭くできる。
【発明を実施するための最良の形態】
【０００６】
以下に、本発明の実施の形態を添付した図面を参照して詳細に説明する。
図１において、符号４は建物の軒天であり、これの上方に軒先に沿って長く伸びる断面Ｕ字状の金属製の箱樋１０が配置されている。前記箱樋１０は、底板部１０ａとこれの両側部に垂直に形成された側板部１０ｂ，１０ｃと、各側板部１０ｂ，１０ｃの上部に屋根の勾配に対応した勾配を有する上部縁板部１０ｄ，１０ｅとから成り、前記底板部１０ａは、前記軒天４の上面に近接して対向配置されている。
【０００７】
前記箱樋１０の上部縁板部１０ｄ，１０ｅは、建物の屋根の下地材（図示省略）に支持された軒先唐草１２，１４に固定されている。前記箱樋１０の棟側の側板部１０ｂの所定の箇所には、四角形の排出口２８が穿設されている。１６，１８は、屋根の下地材（図示省略）上に葺設された金属板からなる屋根面材であり、それぞれ縁部が軒先唐草１２，１４に固着され、建物の屋根を構成している。
【０００８】
前記屋根面材１６上の雨水は、屋根面材１６の勾配に導かれて前記箱樋１０の上部開放部から内部に落下し、箱樋１０内に集水されるように構成されている。２０は、横抜き用のドレンであり、本体２２と、キャップ２４と、押さえナット２６とから構成されている。
【０００９】
前記本体２２は、断面形状が四角形の短尺型の本体角筒部２２ａと、該角筒部２２ａの一方の開口端に外方向に向けて一体的に形成された四角形の輪郭を有する板状の本体枠部２２ｂと、外周部に雄ねじ２２ｃが形成された結合用の管状部２２ｄと、前記本体角筒部２２ａと管状部２２ｄとを結合するリブ状の連結部２２ｅとから構成されている。
【００１０】
また、前記キャップ２４は、嵌合用の四角形のキャップ角筒部２４ａと、該角筒部２４ａの一端の周囲に外方に向けて一体的に形成された四角形の輪郭を有する板状のキャップ枠部２４ｂと、リング部２４ｃと、該リング部２４ｃと前記キャップ枠部２４ｂとを結合するリブ状の連結部２４ｄとから構成されている。
【００１１】
前記本体枠部２２ｂにはその下辺に直角方向に屈折する下位水平部２２ｂ’が形成され、これに対応して、前記キャップ枠部２４ｂの下辺に直角方向に屈折する下位水平部２４ｂ’が形成されている。尚、図中、３０は角型の連結パイプであり、前記ドレン２０の本体角筒部２２ａに脱着可能に嵌合自在な構成となっている。前記本体角筒部２２ａの開口部２２ａ’の四角形状と箱樋１０の排出口２８の形状は略同一に形成されている。
【００１２】
次に、箱樋１０の真横にドレン２０を取り付ける作業について説明する。
まず、本体２２の角筒部２２ａの一端の開口部２２ａ’を箱樋１０の外側面方向から排出口２８に合わせ、管状部２２ｄを箱樋１０内に挿入配置し、本体枠部２２ｂの一方の面を側板部１０ｂの壁面に当接する。
【００１３】
次に、キャップ２４の、前記開口部２２ａ’と略同一輪郭の角筒部２４ａを、箱樋１０の内側から排出口２８に嵌合するとともに、角筒部２２ａの内側に嵌合し、リング２４ｃを管状部２２ｄに嵌挿する。また、キャップ２４の枠部２４ｂを側板部１０ｂを介して、本体２２の枠部２２ｂに当接させる。
【００１４】
該状態において、押さえナット２６を管状部２２ｄの雄ねじ２２ｃにねじ込み、枠部２４ｂを、側板部１０ｂを介して、本体２２の枠部２２ｂに押し付け、キャップ枠部２４ｂと本体枠部２２ｂとで、排出口２８の周囲の側板部１０ｂを挟圧し、ドレン２０を箱樋１０の側板部１０ｂの排出口２８に連通結合する。
【００１５】
該連通結合状態において、キャップ枠部２４ｂの下辺に屈折形成された下位水平部２４ｂ’は、箱樋１０の底板部１０ａの上面に密着し、本体枠部２２ｂの下辺に屈折形成された下位水平部２２ｂ’は、箱樋１０の底板部１０ａの下面に密着する。
【００１６】
前記各枠部２２ｂ，２４ｂの前記箱樋１０の壁面との接触面には、シーリング材が塗着される。前記箱樋１０の外側面に突出する本体２２の角筒部２２ａに連結角パイプ３０を結合し、この角パイプ３０に直角に縦樋（図示省略）を結合して、箱樋１０内の雨水を屋外に導く。
【００１７】
上記した構成において、図１に示すように、排出口２８の下辺部２８ａと箱樋１０の底板部１０ａの上面との間隔は、ほぼ枠部２４ｂの下位水平部２４ｂ’の板厚の長さに設定されている。そのため、箱樋１０内に雨水が溜まることが少なく、箱樋１０内の雨水は効率的に排出口２８を通じて、連結角パイプ３０内に導かれる。即ち、箱樋１０内の雨水の切れが良くなる。
【００１８】
前記キャップ２４の角筒部２４ａの開口部２４ａ’の四角形状は、前記開口部２２ａ’、排出口２８より若干小さめの略同形に設定されている。
【図面の簡単な説明】
【００１９】
【図１】本発明の説明的断面図である。
【図２】ドレンの分解斜視図である。
【図３】従来技術の説明図である。
【符号の説明】
【００２０】
２      箱樋
４      軒天
６      連結パイプ
８      縦樋
１０    箱樋
１２    軒先唐草
１４    軒先唐草
１６    屋根面材
１８    屋根面材
２０    ドレン
２２    本体
２４    キャップ
２６    押さえナット
２８    排出口
３０    連結パイプ
【図１】
2007138628.tif 000003
【図２】
2007138628.tif 000004
【図３】
2007138628.tif 000005